(57)【特許請求の範囲】
【請求項１】
開口部が封止され、圧縮ガスが充填されたボンベと、
上記開口部を穿孔するとともに該開口部を閉口する尖鋭体と、
上記ボンベの開口部と対向する一端に上記尖鋭体を保持するとともに他端にボンベ開閉部材が結合される結合部を有し、上記ボンベより噴出されたガスの流路が形成された保持体と、
上記保持体に装着されることにより上記保持体を上記ボンベの開口部側に付勢する付勢部材と、
上記ボンベが固定されて収納されるボンベ収納部及び上記保持体が昇降自在に収納される保持体収納部が連通孔を介して連続されるとともに、上記保持体に形成された結合部及びガス流路の一端を外方に臨ませる開口部が形成された収納体とを備え、
上記保持体は、上記結合部に結合されたボンベ開閉部材により他端側に移動されることにより、上記尖鋭体により閉口されている上記ボンベの開口部を開口するガスボンベ装置。
【請求項２】
上記収納体は、上記開口部が封止部材により封止されていることを特徴とする請求項１記載のガスボンベ装置。
【請求項３】
上記封止部材は、上記収納体の開口部内に嵌挿され、上記保持体の移動を規制する突起部が突設されていることを特徴とする請求項２記載のガスボンベ装置。
【請求項４】
上記保持体と上記ガスボンベの開口部との間にはガイド部材が介在されていることを特徴とする請求項１乃至３のいずれか１に記載のガスボンベ装置。
【請求項５】
上記付勢部材は、上記ボンベの開口部よりボンベ内に臨まされた上記尖鋭体を押圧する上記ボンベ内に充填されたガス圧力よりも大きな圧力で上記保持体を付勢していることを特徴とする請求項１記載のガスボンベ装置。
【請求項６】
液体が充填された液体タンクと、
上記液体タンク内に充填された液体をタンク外に送る液管と、
上記液管と連続され、液管を流れる液体を注出する注出部と、
開口部が封止され、圧縮ガスが充填されたボンベと、上記開口部に穿孔を形成するとともに該穿孔に突き立てられることにより上記開口部を閉塞する尖鋭体と、上記ボンベの開口部と対向する一端に上記尖鋭体を保持するとともに他端にボンベ開閉部材が結合される結合部を有し上記ボンベより噴出されたガスの流路が形成された保持体と、上記保持体に装着されることにより上記保持体を上記ボンベの開口部側に付勢する付勢部材と、上記ボンベが固定されて収納されるボンベ収納部及び上記保持体が昇降自在に収納される保持体収納部が連通孔を介して連続されるとともに、上記保持体に形成された結合部及びガス流路の一端を外方に臨ませる開口部が形成された収納体とを備えるガスボンベ装置と、
上記ボンベ開閉部材を備え、上記ガスボンベ装置が装着されるカートリッジアダプタと、
上記カートリッジアダプタと連続して形成され、上記ボンベより噴出したガスを液体タンク内に流すガス管と、
上記カートリッジアダプタ内に挿通された上記ボンベ開閉部材と係合され、該ボンベ開閉部材を操作して上記ボンベの開閉を行うとともに、上記液管の開閉を行う操作部とを備え、
上記操作部を操作することにより、上記保持体の結合部に結合されたボンベ開閉部材を他端側に移動させ上記尖鋭体により閉塞されている上記ボンベの開口部を開口してガスを噴出させるとともに、上記液管を開放して上記タンク内の液体を上記注出部より注出する液体注出装置。
【請求項７】
上記操作部の操作を規制する調整部材を有し、該調整部材は、上記操作部による上記ボンベの開閉及び／又は上記液管の開閉を規制することを特徴とする請求項６記載の液体注出装置。
【発明の詳細な説明】
【０００１】
【発明の属する技術分野】
本発明は、カートリッジとして交換可能に形成されたガスボンベ装置及びガスボンベ装置を用いた液体注出装置に関する。
【０００２】
従来より、カートリッジとして交換可能に形成された小型のガスボンベがある。このガスボンベは、例えばビール等の飲料を供給する飲料注出装置に用いられており、炭酸ガスボンベからガスホースを経て炭酸ガスを、飲料の入ったタンク内に導入する。これにより、タンク内の飲料は、炭酸ガスの圧力によりタンク内に導管を通って、導管に連通された注ぎ口から注ぎ出される。
【０００３】
このようなカートリッジとして交換可能なガスボンベを用いた液体注出装置８０は、図７に示すように、炭酸ガスカートリッジボンベ８１が装着され炭酸ガスカートリッジボンベ８１から排出される高圧ガスをタンク内に導入する加圧部８３と、飲料等の液体が入り、炭酸ガスが導入されるタンク８５と、タンク８５内に挿入され、タンク８５内に炭酸ガスが導入されることにより炭酸ガスの圧力によりタンク８５内から噴出される液体の流路となる液管８６と、液管８６と連続され、液体を注出する注出口８８の開閉を行う開閉レバー８９を備える操作部９０とを有する。
【０００４】
高圧ガスをタンク内に導入する加圧部８３は、炭酸ガスカートリッジボンベ８１が装着されるカートリッジアダプタ９１と、カートリッジアダプタ９１の一端に設けられ、炭酸ガスカートリッジボンベ８１から排出される高圧ガスを一定の圧力に下げる減圧弁等の圧力調整器９２を有する。タンク８５内に高圧の炭酸ガスを供給する炭酸ガスカートリッジボンベ８１は、液体注出装置８０とのアダプタとなるカートリッジアダプタ９１の一端側に嵌挿されることにより装着される。
【０００５】
カートリッジアダプタ９１は、内部にガス流路が形成され、先端部にガス流路の一端が臨まされている開口針が形成されている。したがって、炭酸ガスカートリッジボンベ８１は、カートリッジアダプタ９１に装着されると開口針により開口部が開詮され、ボンベ内の炭酸ガスが開口針内に形成されたガス流路を通じてカートリッジアダプタ９１内に放出される。
【０００６】
このカートリッジアダプタ９１には、炭酸ガスカートリッジボンベ８１が装着される側と反対側に圧力調整器９２が装着されている。圧力調整器９２は、炭酸ガスカートリッジボンベ８１よりカートリッジアダプタ９１内に放出された炭酸ガスを一定の圧力に減圧する。圧力調整器９２は、ガス管が接続され、一定の圧力に調整された炭酸ガスをタンク８５内に供給する。
【０００７】
タンク８５内の液体表面に炭酸ガスの圧力が加えられることにより、タンク８５内の液体は、タンク８５内に挿入された液管８６を上昇し、注出口８８に到達する。そして、開閉レバー８９により注出口８８が開口されることにより液体が注ぎ出される。
【０００８】
【発明が解決しようとする課題】
しかし、上述した液体注出装置においては、炭酸ガスカートリッジボンベ８１は、使用前に開口部が閉塞され、カートリッジアダプタ９１に装着されると開口針により開詮される。このため、炭酸ガスカートリッジボンベ８１は、一旦カートリッジアダプタに装着されると、充填されたガスを使い切るまで取り外すことはできない。また、誤ってカートリッジアダプタ９１より取り外した場合は、高圧のガスが一気に開口部より吹き出しボンベが飛び出すなどして大変危険である。さらに、開詮された開口部に指先等が触れると、ボンベ内に充填された液化炭酸ガスが気化する際の気化熱により凍傷になる危険がある。
【０００９】
また、炭酸ガスカートリッジボンベ８１は、一旦カートリッジアダプタ９１に装着した後にカートリッジアダプタ９１より取り外してしまうと、充填された炭酸ガスがすべて放出されてしまうため、残存した炭酸ガスを再利用することはできなかった。
【００１０】
さらに、炭酸ガスカートリッジボンベ８１は、カートリッジアダプタ９１に装着する前であっても、誤って落下等させることにより開口部が損傷した場合に充填された炭酸ガスが開口部より噴出し、ボンベの飛び出しや凍傷の危険があるほか、炭酸ガスカートリッジボンベ８１の再利用は不可能となる。
【００１１】
そこで、本発明は、一旦液体注出装置等に装着されても安全に取り外しができ、再利用することできるカートリッジとして交換可能に形成されたガスボンベ装置及びガスボンベ装置を用いた液体注出装置を提供することを目的とする。
【００１２】
【課題を解決するための手段】
上述した課題を解決するために、本願に係るガスボンベ装置は、開口部が封止され、圧縮ガスが充填されたボンベと、上記開口部を穿孔するとともに該開口部を閉口する尖鋭体と、上記ボンベの開口部と対向する一端に上記尖鋭体を保持するとともに他端にボンベ開閉部材が結合される結合部を有し、上記ボンベより噴出されたガスの流路が形成された保持体と、上記保持体に装着されることにより上記保持体を上記ボンベの開口部側に付勢する付勢部材と、上記ボンベが固定されて収納されるボンベ収納部及び上記保持体が昇降自在に収納される保持体収納部が連通孔を介して連続されるとともに、上記保持体に形成された結合部及びガス流路の一端を外方に臨ませる開口部が形成された収納体とを備え、上記保持体は、上記結合部に結合されたボンベ開閉部材により他端側に移動されることにより、上記尖鋭体により閉口されている上記ボンベの開口部を開口するものである。
【００１３】
また、本願に係る液体注出装置は、液体が充填された液体タンクと、上記液体タンク内に充填された液体をタンク外に送る液管と、上記液管と連続され、液管を流れる液体を注出する注出部と、開口部が封止され、圧縮ガスが充填されたボンベと、上記開口部に穿孔を形成するとともに該穿孔に突き立てられることにより上記開口部を閉塞する尖鋭体と、上記ボンベの開口部と対向する一端に上記尖鋭体を保持するとともに他端にボンベ開閉部材が結合される結合部を有し上記ボンベより噴出されたガスの流路が形成された保持体と、上記保持体に装着されることにより上記保持体を上記ボンベの開口部側に付勢する付勢部材と、上記ボンベが固定されて収納されるボンベ収納部及び上記保持体が昇降自在に収納される保持体収納部が連通孔を介して連続されるとともに、上記保持体に形成された結合部及びガス流路の一端を外方に臨ませる開口部が形成された収納体とを備えるガスボンベ装置と、上記ボンベ開閉部材を備え、上記ガスボンベ装置が装着されるカートリッジアダプタと、上記カートリッジアダプタと連続して形成され、上記ボンベより噴出したガスを液体タンク内に流すガス管と、上記カートリッジアダプタ内に挿通された上記ボンベ開閉部材と係合され、該ボンベ開閉部材を操作して上記ボンベの開閉を行うとともに、上記液管の開閉を行う操作部とを備え、上記操作部を操作することにより、上記保持体の結合部に結合されたボンベ開閉部材を他端側に移動させ上記尖鋭体により閉塞されている上記ボンベの開口部を開口してガスを噴出させるとともに、上記液管を開放して上記タンク内の液体を上記注出部より注出するものである。
【００１４】
【発明の実施の形態】
以下、本願が適用されたガスボンベ装置及びガスボンベ装置を用いた液体注出装置について、図面を参照しながら詳細に説明する。このガスボンベ装置１は、図１に示すように、炭酸ガスが充填されている炭酸ガスカートリッジボンベ３と、炭酸ガスカートリッジボンベ３を開詮する尖鋭体を保持する保持体４と、炭酸ガスカートリッジボンベ３及び保持体４を収納するハウジング５とを有する。
【００１５】
炭酸ガスカートリッジボンベ３は、略筒状の金属筐体内に液化炭酸ガスが充填されている。また、炭酸ガスカートリッジボンベ３は、金属筐体の一端側に開口部７が形成されている。開口部７は蓋体８で覆われており、金属筐体内の炭酸ガスの噴出を防止している。また、開口部７は、蓋体８が後述する保持体４に保持されている尖鋭体１０により穿孔８ａが形成されるとともに、尖鋭体１０が穿孔８ａに突き立てられることにより閉塞される。
【００１６】
このような炭酸ガスカートリッジボンベ３は、蓋体８に突き立てられている尖鋭体１０が引き上げられることにより、蓋体８の穿孔８ａから炭酸ガスが噴出する。また、炭酸ガスカートリッジボンベ３は、尖鋭体１０が穿孔８ａ内に突き立てられることにより開口部７が閉塞され、炭酸ガスの噴出が防止される。
【００１７】
尖鋭体１０を保持し、炭酸ガスカートリッジボンベ３の開閉を行う保持体４は、図２に示すように、断面略凸字状に形成され、炭酸ガスカートリッジボンベ３の蓋体８に突き立てられる尖鋭体１０と、保持体４を炭酸ガスカートリッジボンベ３側に付勢する付勢部材１４が係止されるフランジ部１５と、炭酸ガスカートリッジボンベ３に充填された炭酸ガスの流路となるガス流路１１と、保持体４と結合して炭酸ガスカートリッジボンベ３の開閉を行うボンベ開閉部材１３に結合される結合部１２とを有する。
【００１８】
炭酸ガスカートリッジボンベ３の蓋体８を閉塞する尖鋭体１０は、保持体４の底面部４ａより突設され、尖端部１０ａを炭酸ガスカートリッジボンベ３の蓋体８に突き立てられている。これにより、尖鋭体１０は、蓋体８に穿孔８ａを開けるとともに、この穿孔８ａを閉塞することにより炭酸ガスカートリッジボンベ３内に充填された炭酸ガスの流出を防止する。
【００１９】
保持体４の炭酸ガスカートリッジボンベ３と対向する端部にはフランジ部１５が形成されている。フランジ部１５は、保持体４を付勢する圧縮バネ等の付勢部材１４が当接される。この付勢部材１４は、保持体４に挿通された状態で保持体４が後述するハウジング５内に収納されることにより、一端をハウジング５の内壁に当接され、他端をフランジ部１５に当接される。これにより、付勢部材１４は、保持体４を炭酸ガスカートリッジボンベ３の開口部側に付勢している。
【００２０】
保持体４の外側面４ｃ及びフランジ部１５の外周部には、炭酸ガスカートリッジボンベ３より噴出した炭酸ガスが流れるガス流路１１が形成されている。ガス流路１１は、保持体４の底面部４ａから上面部４ｂに亘って、保持体４の外側面４ｃ及びフランジ部１５の外周部に形成される凹溝により構成される。そして、ガス流路１１には、尖鋭体１０の尖端部１０ａが穿孔８ａより引き抜かれ、炭酸ガスカートリッジボンベ３の蓋体８を開口することにより噴出した炭酸ガスが、保持体４の下面部４ａから上面部４ｂに亘って流れる。
【００２１】
ボンベ開閉部材１３が挿通する結合部１２は、保持体４の上面部４ｂに略中空円柱状に形成されている。結合部１２は、例えば内周壁に後述するボンベ開閉部材１３が螺合されるネジ溝１６が形成されている。ネジ溝１６は、結合部１２の内周壁に形成され、ねじ山が形成されたボンベ開閉部材１３と螺合される。
【００２２】
以上のような構成を有する保持体４は、ハウジング５に収納されると、炭酸ガスカートリッジボンベ３の蓋体８と尖鋭体１０が形成された下面部４ａとが対向される。そして、保持体４は、付勢部材１４により炭酸ガスカートリッジボンベ３側に付勢されるため、尖鋭体１０が蓋体８を穿孔するとともに尖端部１０ａが穿孔８ａに突き立てられ炭酸ガスカートリッジボンベ３を閉塞する。
【００２３】
そして、保持体４は、ガスボンベ装置１が液体注出装置等のカートリッジアダプタに装着されると、結合部１２がカートリッジアダプタ側に設けられたボンベ開閉部材１３に結合される。保持体４は、ボンベ開閉部材１３により、付勢部材１４の付勢力に対抗して炭酸ガスカートリッジボンベ３と反対側に付勢されると、蓋体８より尖鋭体１０の尖端部１０ａが引き上げられるため、炭酸ガスを噴出させることができる。噴出した炭酸ガスは、保持体４の外側面４ｃ及びフランジ部１５の外周部に形成されたガス流路１１を流れて保持体４の上面部４ｂ側に流れる。また、保持体４は、ボンベ開閉部材１３の付勢力が解かれると、付勢部材１４の付勢力により炭酸ガスカートリッジボンベ３側に付勢され、尖鋭体１０の尖端部１０ａが炭酸ガスカートリッジボンベ３の蓋体８に形成された穿孔８ａ内に突き立てられ、炭酸ガスの噴出を止める。
【００２４】
なお、保持体４の尖鋭体１０と上述した炭酸ガスカートリッジボンベ３との間には、図４に示すように、尖鋭体１０の尖端部１０ａが穿孔８ａに挿通する際のブレを防止するためのガイド部材１８を配設してもよい。ガイド部材１８は、後述するハウジング５の第１と第２の収納部を連通する連通孔内に配設され、略中央に尖鋭体１０が挿通する挿通孔が形成されている。ガイド部材１８を配設することにより、ガスボンベ装置１は、尖鋭体１０がガイド部材１８にガイドされて常に蓋体８に垂直に突き立てられ、外部からの衝撃により尖鋭体１０にブレを生じ、蓋体８に垂直に対峙せずに蓋体８の穿孔８ａよりガスが漏れることを防止することができる。
【００２５】
また、保持体４を炭酸ガスカートリッジボンベ３側に付勢する付勢部材１４は、蓋体８の穿孔８ａより炭酸ガスカートリッジボンベ３内に挿通された尖鋭体１０の尖端部１０ａがボンベ内に充填された炭酸ガスにより押圧される圧力よりも大きな圧力で、保持体４を付勢する。すなわち、保持体４に保持された尖鋭体１０は、蓋体８の穿孔８ａより炭酸ガスカートリッジボンベ３内に突き立てられたときでも、ボンベ内のガス圧力により穿孔８ａより押し出されることはない。したがって、ガスボンベ装置１は、カートリッジアダプタに装着され、ボンベ開閉部材により保持体４が操作される前において、炭酸ガスカートリッジボンベ３内に充填された炭酸ガスの漏出が防止されている。
【００２６】
炭酸ガスカートリッジボンベ３及び保持体４を収納するハウジング５は、ＡＢＳ樹脂等の熱可塑性樹脂により、炭酸ガスカートリッジボンベ３及び保持体４の収納部が形成された略筒状体からなる。ハウジング５は、上下に分離可能に形成され、上端側に形成され、図示しない液体注出装置等のカートリッジアダプタと係合する係合部が形成された上側収納２０と、上側収納２０と接続され、ハウジング５の下端側を構成する下側収納２１とが形成されている。
【００２７】
上側収納２０は、先端部に係合部２２が形成され、液体注出装置等のカートリッジアダプタと結合される。結合部２２は、例えばねじ山が形成され、ねじ山がカートリッジアダプタに形成されたねじ溝と螺合されることにより、ハウジング５をカートリッジアダプタに結合させる。また、上側収納２０は上面部２０ａに、保持体４のガス流路１１を通過した炭酸ガスを液体注出装置内に臨ませるとともに、ボンベ開閉部材１３の進入孔となる開口２３が形成されている。この上側収納２０は、収納される炭酸ガスカートリッジボンベ３の形状に応じて、係合部２２の下端側が拡径されている。また、上側収納２０は、下端側の内周に、下側収納２１との接続を図る接続部２４が形成されている。上側収納２０と接続される下側収納２１は、上端側外周に上側収納２０の下端側と接続される接続部２５が形成されている。これら接続部２４，２５は、互いに螺合されるねじ溝が形成され、接続部２４，２５が螺着されることによりハウジング５を一体化させている。また、下側収納２１は、下端側に傾斜部２６が形成され、傾斜部２６に連続して平坦化された底面部２０ｂが形成されている。
【００２８】
ハウジング５は、上側収納２０と下側収納２１とが結合されることにより、炭酸ガスカートリッジボンベ３を収納する第１の収納部２９及び保持体４を収納する第２の収納部３０が形成される。第１及び第２の収納部２９，３０は、連通孔３１により連続されている。この連通孔３１は、第１の収納部２９に収納された炭酸ガスカートリッジボンベ３の開口部７を第２の収納部３０に収納された保持体４に臨ませている。そして、連通孔３１を介して保持体４に保持された尖鋭体１０が炭酸ガスカートリッジボンベ３の蓋体８に突き立てられ、また、炭酸ガスカートリッジボンベ３内に充填された炭酸ガスが保持体４のガス流路１１に流れる。
【００２９】
炭酸ガスカートリッジボンベ３を収納する第１の収納部２９は、炭酸ガスカートリッジボンベ３と略同一の大きさに形成され、下端部２９ａに略円形のゴムパッキン３２が配設されている。炭酸ガスカートリッジボンベ３は、第１の収納部２９内に収納され、上側収納２０及び下側収納２１が接続されることにより、底面にゴムパッキン３２が当接され、第１の収納部２９内でがたつくことが防止される。
【００３０】
保持体４を収納する第２の収納部３０は、保持体４より上下方向にやや大きく形成されている。また、第２の収納部３０は、下端側に上述した連通孔３１が形成され、上端側には炭酸ガスを液体注出装置側に流す開口２３が形成されている。連通孔３１及び開口２３は、ともに第２の収納部３０よりも径が小さく形成されている。したがって、保持体４が尖鋭体１０を炭酸ガスカートリッジボンベ３の開口部７側に向けて収納されることにより、尖鋭体１０の尖端部１０ａのみが炭酸ガスカートリッジボンベ３の蓋体８に当接されている。また、第２の収納部３０は、保持体４に挿通された付勢部材１４がフランジ部１５と対向する一端を第２の収納部３０の上端側に形成された開口２３近傍の内周壁に当接されている。これにより、保持体４は、付勢部材１４により第２の収納部３０の下方向に付勢されている。
【００３１】
このハウジング５は、上側収納２０がカートリッジアダプタと係合されていないときには、開口２３が封止部材２７により封止されている。封止部材２７は、上側収納２０の上面部２０ａと略同一の大きさに形成された円形の封止版２７ａと、封止版２７ａより立ち上がり形成された突起部２７ｂとを有する。この封止部材２７は、ガスボンベ装置１がカートリッジアダプタに装着される前に、炭酸ガスカートリッジボンベ３内の炭酸ガスが漏れることを防止するとともに、開口２３より外部に臨まされている第２の収納部３０内に塵埃等が進入することを防止する。
【００３２】
このような封止部材２７は、突起部２７ｂを開口２３内に嵌合させることにより上側収納２０の上面部２０ａ上に装着される。したがって、封止部材２７は、突起部２７ｂが保持体４の上面部４ｂと当接され、保持体４が蓋体８の穿孔８ａを開放する図１中矢印Ｄ方向に移動することを規制し、炭酸ガスが漏れることを防止することができる。
【００３３】
なお、本発明が適用されたガスボンベ装置１は、封止部材２７を開口２３に嵌合させた上に、さらにシール部材等により上側収納２０の上面部２０ａを覆ってもよい。これにより、ガスボンベ装置１の運搬中等に誤って封止部材２７が外れる危険を防止することができる。
【００３４】
以上のような構成を有するガスボンベ装置１は、液体注出装置等に装着される前において、保持体４が付勢部材１４に付勢され、既に炭酸ガスカートリッジボンベ３の蓋体８が尖鋭体１０により穿孔されている。そして、ガスボンベ装置１は、尖鋭体１０の尖端部１０ａが蓋体８の穿孔８ａに突き立てられているため、炭酸ガスカートリッジボンベ３内に充填されている炭酸ガスの噴出が止められている。
【００３５】
そして、ガスボンベ装置１は、液体注出装置等に、カートリッジアダプタと係合部２２とが結合されることにより装着される。このとき、ガスボンベ装置１は、結合部１２に形成されたネジ溝１６とカートリッジアダプタ内に形成されたボンベ開閉部材１３とが結合される。ボンベ開閉部材１３は常態において下方に付勢されているため、ガスボンベ装置１は、カートリッジアダプタに装着された状態においては、保持体４の尖鋭体１０が炭酸ガスカートリッジボンベ３の蓋体８に突き立てられて炭酸ガスの噴出が止められている。
【００３６】
ボンベ開閉部材１３が、付勢部材１４の付勢力に対抗して図１中矢印Ｄ方向に引き上げられると、ボンベ開閉部材１３と結合されている保持体４も図１中矢印Ｄ方向に引き上げられる。これにより炭酸ガスカートリッジボンベ３の蓋体８に突き立てられていた尖鋭体１０も穿孔８ａより引き抜かれ、ボンベ内に充填された炭酸ガスが噴出する。噴出した炭酸ガスは、第２の収納部３０内に収納された保持体４のガス流路１１を流れて、ハウジング５の開口２３よりカートリッジアダプタを介して液体注出装置側へ送られる。
【００３７】
また、ボンベ開閉部材１３を図１中反矢印Ｄ方向に戻すと、ボンベ開閉部材１３と結合されている保持体４も、付勢部材１４の付勢力により図１中反矢印Ｄ方向に付勢される。これにより炭酸ガスカートリッジボンベ３の蓋体８より引き上げられていた尖鋭体１０の尖端部１０ａは、穿孔８ａ内に突き立てられ、ボンベ内に充填されている炭酸ガスの噴出を止める。
【００３８】
さらに、ガスボンベ装置１は、液体注出装置のカートリッジアダプタから取り外した場合でも、保持体４が付勢部材１４に付勢されているため、尖鋭体１０の尖端部１０ａは、炭酸ガスカートリッジボンベ３の蓋体８に突き立てられ、穿孔８ａを塞いでいるため、ボンベ内の炭酸ガスの噴出は防止される。
【００３９】
以上のようなガスボンベ装置１によれば、カートリッジアダプタに装着される前において炭酸ガスカートリッジボンベ３の蓋体８が保持体４の尖鋭体１０により穿孔されているとともに、尖鋭体１０の尖端部１０ａにより穿孔８ａが閉塞されている。したがって、ガスボンベ装置１によれば、ボンベ内の炭酸ガスの噴出が防止されているため、一旦カートリッジアダプタに装着された後でもガスの噴出や気化熱による凍傷等の危険を伴うことなく安全に取り外すことができる。
【００４０】
また、ガスボンベ装置１によれば、カートリッジアダプタより取り外した後に炭酸ガスカートリッジボンベ３内に炭酸ガスが残存している場合でも、カートリッジアダプタに装着することで再利用することができる。
【００４１】
さらに、ガスボンベ装置１によれば、保持体４が付勢部材１４により炭酸ガスカートリッジボンベ３側に付勢されることにより、蓋体８が尖鋭体１０により穿孔、閉塞されているため、カートリッジアダプタに装着される前にガスボンベ装置１を落下等させた場合でも、ボンベ内の炭酸ガスの噴出や気化熱による凍傷等の危険がなく、安全に取り扱うことができる。
【００４２】
次に、上述したガスボンベ装置１を液体注出装置の交換可能なカートリッジボンベとして使用した場合について説明する。この液体注出装置４０は、図３に示すように、液体が充填された液体タンク４１と、液体タンク４１の上面部に形成され、ガスボンベ装置１から流れる炭酸ガスを受けて液体タンク４１に流すとともに、液体タンク４１内の液体を外部に送り出す中空筐体からなるディスペンスヘッド４８とを有する。ディスペンスヘッド４８は、液体タンク４１内の液体の流路となる液管４２と、液管４２と連続され、液体を注出する注出部４３と、交換可能なカートリッジとして用いられるガスボンベ装置１が装着されるカートリッジアダプタ４４と、カートリッジアダプタ４４と連続され噴出された炭酸ガスを液体タンク４１内に送るガス管４５と、ガスボンベ装置１及び注出部４３の開閉を操作することにより液体の注出を行う操作部４６とを有する。
【００４３】
液体が充填される液体タンク４１は、樽等の容器からなり、ビール等の液体が充填されている。また、液体タンク４１は、液体をディスペンスヘッド４８に送る液管４２が底部まで延設されている。液管４２は、ディスペンスヘッド４８に形成されている注出部４３と連続され、操作部４６により注出部４３との接続部４７が開閉操作される。
【００４４】
この接続部４７は、ディスペンスヘッド４８内に形成され、一端側に液管４２の液体が流出する流出孔４２ａが設けられ、他端側に注出部４３の流入孔４３ａが設けられている。また、接続部４７内には、後述する操作部４６のコック５１と、コック５１を流入孔４３ａ側に付勢する付勢部材６０が配設されている。
【００４５】
コック５１は、接続部４７内に配設され、流入孔４３ａの開閉を行う開閉弁５１ａと、開閉弁５１ａより挿通孔６２を通じてディスペンスヘッド４８上部に臨まされ、操作部４６により押圧操作される押圧軸５１ｂとからなる。開閉弁５１ａは、流入孔４３ａを閉塞するに十分な大きさを有し、流入孔４３ａを囲むようにゴムパッキン６１が配設されている。したがって、ゴムパッキン６１により液体が注出部４３側に漏れ出すことを防止することができるとともに、接続部４７と開閉弁５１ａとが直接当接することが防止され、摩耗によって生じた削りかす等の異物が発生することを防止できる。また、押圧軸５１ｂは、接続部４７の流入孔４３ａよりディスペンスヘッド４８の上面部に開口された挿通孔６２内に配設されている。押圧軸５１ｂは、開閉弁５１ａが設けられた一端部と反対側の他端部がディスペンスヘッド４８の上面側に穿設された挿通孔６２の開口部６２ａより外方に臨まされている。そして、押圧軸５１ｂは、操作部４６の押圧片により押圧されることにより、図３中矢印Ｅ方向に移動され、開閉弁５１ａを流入孔４３ａより離間させ、流入孔４３ａを開放する。
【００４６】
また、付勢部材６０は、圧縮コイルバネ等からなり、一端をコック５１に当接し、他端を開閉弁５１ａと対向する接続部４７の側壁と当接させている。これにより、付勢部材６０は、常態において、コック５１を流出孔４３ａ側に付勢し、液体が注出部４３側に流れ出すことを防止している。
【００４７】
この接続部４７は、操作部４６によりコック５１が流出孔４２ａ側に押圧操作されることにより流入孔４３ａが開放され、タンク内のガス圧力により液管４２を上昇してきた液体を注出部４３へ流す。また、接続部４７は、コック５１の押圧が解かれると、付勢部材６０によりコック５１が流入孔４３ａ側に付勢され、流入孔４３ａを閉塞し、液管４２内の液体が注出部４３側に流れることを防止する。
【００４８】
ガスボンベ装置１が装着され、炭酸ガスカートリッジボンベ３より噴出する炭酸ガスを受けるカートリッジアダプタ４４は、一端が外方に臨まされた中空部４９が形成され、外方側にハウジング５の上側収納２０に形成された係合部２２が係合することによりガスボンベ装置１が装着される装着部５０と、ガスボンベ装置１より噴出された炭酸ガスを液体タンク４１内へ送るガス管４５と、中空部４９内を挿通し、ハウジング５の第２の収納部３０内に収納された保持体４の結合部１２と結合されるボンベ開閉部材１３とを有する。
【００４９】
装着部５０は、中空部４９の内面側に、ハウジング５の上側収納２０の上面部が挿入されることにより、上側収納２０の係合部２２と係合する係合部５２が形成されている。係合部５２は、例えばねじ溝が形成され、ねじ山が形成された係合部２２と螺合される。なお、装着部５０は、内方側に突当て部５３が立上がり形成されている。突当て部５３は、上側収納２０が挿入されることにより上面部２０ａがゴムパッキンを介して突き当てられる。
【００５０】
ガスボンベ装置１より噴出した炭酸ガスを液体タンク４１内へ送るガス管４５は、中空部４９の突当て部５３からやや内方側に形成されている。ガス管４５は、中空部から液体タンク４１内に臨まされている。
【００５１】
保持体４と結合され炭酸ガスカートリッジボンベ３の開閉を行うボンベ開閉部材１３は、略棒状体からなり、一端部に結合部１２に挿入され保持体４と結合される結合部５４が形成され、他端部に後述する操作部４６と係合される係合突部５５が形成されている。結合部５４は、例えばねじ山が形成され、このねじ山と螺合されるネジ溝１６が形成された結合部１２と結合される。
【００５２】
このボンベ開閉部材１３は、中空部４９内に、長手方向に沿って移動可能に配設されている。また、ボンベ開閉部材１３は、略中腹部にボンベ開閉部材１３を支持するとともに、炭酸ガスカートリッジボンベ３内の炭酸ガスの漏出を防止する支持部材５６が設けられている。支持部材５６は、中空部４９と略同一の直径を有し、外周部には周回り方向に亘ってゴムパッキン５７が形成されている。そして、支持部材５６は、中空部４９内を内壁に沿って摺動する。
【００５３】
また、ボンベ開閉部材１３は、支持部材５６の内方側にボンベ開閉部材１３を外方側へ付勢する付勢部材５８が挿通されている。付勢部材５８は、例えば圧縮コイルバネであり、一端を支持部材５６の後端部と当接され、他端を中空部４９の内方側端部と当接されている。したがって、支持部材５６に支持されたボンベ開閉部材１３は、操作部４６に操作されていない状態においては、図５に示すように、付勢部材５８により中空部４９の外方側に付勢されている。これにより、ガスボンベ装置１は、保持体４が炭酸ガスカートリッジボンベ３の蓋体８を閉塞する図１中矢印反Ｄ方向に付勢され、炭酸ガスの流出が防止されている。
【００５４】
なお、ボンベ開閉部材１３は、中空部４９の外方側に付勢されている状態においては、支持部材５６の外方側端部が突当て部５３にゴムパッキン５９を介して当接されるとともに、中空部４９の内周壁に開口されているガス管４５の開口部４５ａを支持部材５６により閉塞している。これによりガス管４５を遮断することができ、炭酸ガスが漏出した場合にも液体タンク４１内に炭酸ガスが送られることを防止することができる。
【００５５】
このようなボンベ開閉部材１３は、操作部４６と係合されている係合突部５５を介して長手方向にピストン駆動される。そして、ボンベ開閉部材１３は、操作部４６により中空部４９の内方側へ引き上げられることにより、ガスボンベ装置１の保持体４を図１中矢印Ｄ方向に引き上げる。これにより、液体注出装置４０は、図６に示すように、保持体４の尖鋭体１０により閉塞されていた炭酸ガスカートリッジボンベ３の穿孔８ａを開放し、炭酸ガスを噴出させる。ハウジング５の開口２３より中空部４９内に流れた炭酸ガスは、装着部５０より内方側に形成されたガス管４５を通り、液体タンク４１内に送られる。このとき、ボンベ開閉部材１３が挿通支持される支持部材５６には外周部にゴムパッキン５７が配設されているため、支持部材５６は、中空部４９内を摺動する。したがって、カートリッジアダプタ４４の装着部５０を通過する炭酸ガスは、支持部材５６より内方側へは流出せず、ガス管４５を通り、確実に液体タンク４１内に送られる。
【００５６】
また、ボンベ開閉部材１３は、操作部４６により中空部４９の外方側に戻されることにより、ガスボンベ装置１の保持体４への引張力を解き、付勢部材１４の付勢力により図１中反矢印Ｄ方向に戻す。これにより、液体注出装置４０は、図５に示すように、保持体４の尖鋭体１０が炭酸ガスカートリッジボンベ３の蓋体８に形成された穿孔８ａを閉塞し、炭酸ガスの噴出を防止する。
【００５７】
以上のようなカートリッジアダプタ４４には、上述したガスボンベ装置１が着脱可能に装着される。すなわち、上述したように、ガスボンベ装置１は、保持体４が付勢部材１４により炭酸ガスカートリッジボンベ３側に付勢されることにより、蓋体８が尖鋭体１０の尖端部１０ａにより閉塞されている。したがって、カートリッジアダプタ４４から取り外された場合でも、炭酸ガスカートリッジボンベ３内の炭酸ガスの噴出や気化熱による凍傷等の危険を伴うことなく安全に取り外すことができる。したがって、液体注出装置４０によれば、ガスボンベ装置１内の炭酸ガスが残存している状態で使用を中止する場合でも、ガスボンベ装置１を安全に取り外すことができ、再度ガスボンベ装置１を本液体注出装置４０や他のカートリッジアダプタを備えた装置に再利用することができる。
【００５８】
ボンベ開閉部材１３を操作して炭酸ガスカートリッジボンベ３の蓋体８を開閉するとともにコック５１を操作して接続部４７の流入孔４３ａを開閉操作する操作部４６は、ボンベ開閉部材１３の係合突部５５と係合してボンベ開閉部材１３を回転操作する回転操作子６５と、回転操作子６５を回転させることにより液体の注出を行う注出レバー６６と、注出レバー６６に設けられレバー操作によりコック５１を押圧操作する押圧片６７とを有する。
【００５９】
ボンベ開閉部材１３と係合する回転操作子６５は、略円盤状に形成され、盤面の中央部に注出レバー６６の一端が取り付けられている。また、回転操作子６５は、盤面の側縁部から回転中心に亘って略弓形に湾曲する開口６５ａが穿設されている。開口６５ａにはボンベ開閉部材１３の一端部に形成された係合突部５５が摺動可能に挿通されている。そして、回転操作子６５は、注出レバー６６により回転操作されることにより、開口６５ａに挿通された係合突部５５を開口６５ａの湾曲する両端部間に亘って摺動させる。
【００６０】
これにより、回転操作子６５は、回転に応じてボンベ開閉部材１３を中空部４９の長手方向に沿ってピストン駆動させる。
【００６１】
すなわち、図５に示すように、注出レバー６６を上方に回転させた場合には、ボンベ開閉部材１３の係合突部５５は、開口６５ａを摺動して回転操作子６５の側縁部側端部に位置される。このとき、係合突部５５には回転操作子６５による引張力は掛かっていないため、ボンベ開閉部材１３は、付勢部材５８の付勢力により図３中反矢印Ｄ方向に付勢される。したがって、ガスボンベ装置１の保持体４は、ボンベ開閉部材１３による引張力が掛からず、付勢部材１４による付勢力により、尖鋭体１０の尖端部１０ａを炭酸ガスカートリッジボンベ３の蓋体８に穿設された穿孔８ａに突き立て、炭酸ガスの噴出を止めることができる。
【００６２】
一方、図６に示すように、注出レバー６６を下方側に回転させた場合には、ボンベ開閉部材１３の係合突部５５は、開口６５ａを摺動して回転操作子６５の回転中心近傍に位置される。このとき、係合突部５５には回転操作子６５による引張力が掛かっているため、ボンベ開閉部材１３は、付勢部材５８の付勢力に対抗して図３中矢印Ｄ方向に引っ張られる。したがって、ガスボンベ装置１の保持体４は、ボンベ開閉部材１３による引張力により、尖鋭体１０の尖端部１０ａを炭酸ガスカートリッジボンベ３の蓋体８に穿設された穿孔８ａより引き抜き、炭酸ガスを放出させる。
【００６３】
注出レバー６６に設けられレバー操作によりコック５１を押圧操作する押圧片６７は、図３に示すように、注出レバー６６の回転操作子６５への取り付け端部近傍に下面側へ膨出形成されている。また、押圧片６７は、挿通孔６２の上方に位置され、挿通孔６２より突出するコック５１の押圧軸５１ｂの一端と対向されている。そして、押圧片６７は、注出レバー６６が下方側に回転されるに従って、コック５１の押圧軸５１ｂを下方へ押圧する。注出レバー６６の回転に伴い押圧軸５１ｂを押圧することにより、押圧片６７は、コック５１の開閉弁５１ａを下方に移動させ、流入孔４３ａの開閉を行うことができる。
【００６４】
すなわち、図５に示すように、注出レバー６６を上方に回転させた場合には、押圧片６７も上方に位置され、挿通孔６２の開口部６２ａより突出している押圧軸５１ｂと離間される。したがって、コック５１は、開閉弁５１ａに当接されている付勢部材６０により図３中反矢印Ｅ方向に付勢され、注出部４３へ通じる流入孔４３ａを開閉弁５１ａにより閉塞して液体の注出を止めることができる。
【００６５】
一方、図６に示すように、注出レバー６６を下方に回転させた場合には、押圧片６７も下方に回動され、挿通孔６２の開口部６２ａより突出している押圧軸５１ｂと当接される。そして、押圧片６７は、注出レバー６６が下方に回転されるにしたがって、押圧軸５１ｂを深く押圧していく。これにより、コック５１は、開閉弁５１ａに当接されている付勢部材６０の付勢力に対抗して、図３中矢印Ｅ方向に押圧され、開閉弁５１ａを流入孔４３ａより離間させて液体を注出部４３より抽出させることができる。
【００６６】
なお、押圧軸５１ｂには外周部にゴムパッキン６８が配設されているため、流入孔４３ａより流入された液体は、ゴムパッキン６８より先には流入せず、注出部４３へ流れる。
【００６７】
このような操作部４６は、注出レバー６６の回転を規制させることにより注出部４３より注ぎ出される液体の流量を調整するようにしてもよい。すなわち、図３に示すように、操作部４６は、ディスペンスヘッド４８の上面部に調整部材７０を突設させ、注出レバー６６が回転されることにより押圧片６７と当接させるようにする。調整部材７０は、挿通孔６２の開口部６２ａ近傍に内部にねじ溝が切ってある係合孔７１を穿設し、該係合孔７１に螺合されるねじ部材が突設されてなる。この調整部材７０は、回転させることによりディスペンスヘッド４８からの突出量を調整することができる。したがって、調整部材７０の突出量を調整することにより、押圧片６７と調整部材７０との当接位置を決めることができ、注出レバー６６の回転量を規制することができる。
【００６８】
したがって、コック５１の押圧軸５１ｂは、押圧片６７による押圧量が規制されるため、開閉弁５１ａの流入孔４３ａからの離間が所定量以下となる。このため、流入孔４３ａから注出部４３への液体の流量を調整することができる。
【００６９】
また、この調整部材７０は、回転させることによる突出量を、回転操作子６５によるボンベ開閉部材１３のピストン駆動量に応じて規定することにより、ガスボンベ装置１からのガス流量を調整するようにしてもよい。すなわち、調整部材７０を一回転させることによりディスペンスヘッド４８から突出する量を、保持体４がボンベ開閉部材１３により引っ張られる長さに応じて規定し、注出レバーの回転規制による回転操作子６５の回転量及びボンベ開閉部材１３の移動量を調整するようにしてもよい。例えば、調整部材７０を一回転させることにより注出レバー６６の回転量及び回転操作子６５の回転量が規制されることで、ボンベ開閉部材１３が保持体４の尖鋭体１０を炭酸ガスカートリッジボンベ３の蓋体８から引き上げる量を５ｍｍとなるように調節する。
【００７０】
以上の構成を備えることにより、尖鋭体１０の蓋体８からの引き上げ量を規定し、ガス流量を容易に調整することができる。また、尖鋭体１０の尖端部１０ａが炭酸ガスカートリッジボンベ３内に５ｍｍの深さで突き立てられている場合には、尖鋭体１０の引き上げ量を５ｍｍ以下にすることで、注出レバー６６による液体の注出操作を無効とすることができ、誤って注出レバー６６に触れたことによる液体の注出を防止することができる。
【００７１】
次いで、液体注出装置４０の動作について説明する。液体注出装置４０は、カートリッジアダプタ４４の中空部４９に設けられた装着部５０に、炭酸ガスボンベ装置１が取り付けられる。このとき、ガスボンベ装置１の保持体４は、結合部１２にボンベ開閉部材１３が挿入、螺合される。また、注出レバー６６が上方に回動されているため、ボンベ開閉部材１３は、カートリッジアダプタ４４の外方側に付勢されている。したがって、ガスボンベ装置１の保持体４は、付勢部材１４により図１中矢印Ｄ方向に付勢され、炭酸ガスカートリッジボンベ３の穿孔８ａを閉塞している。
【００７２】
また、開閉弁５１ｂが付勢部材６０に付勢されているため、注出部４３と液管４２とを接続する接続部４７の流入孔４３ａは、開閉弁５１ａにより閉塞されている。
【００７３】
次いで、注出レバー６６を下方に回動すると、回転操作子６５の開口６５ａに係合突部５５がガイドされて、ボンベ開閉部材１３は、図６中矢印Ｄ方向に引き上げられる。このとき、ガスボンベ装置１の保持体４も図１中矢印Ｄ方向に引き上げられるため、尖鋭体１０の尖端部１０ａが蓋体８の穿孔８ａより引き上げられる。これにより、炭酸ガスカートリッジボンベ３内に充填された炭酸ガスは、ガス流路１１を介してディスペンスヘッド４８のガス管４５を通り、液体タンク内に噴出する。
【００７４】
また、コック５１の押圧軸５１ｂが注出レバー６６の下面側に設けられた押圧片６７に押圧され、開閉弁５１ａが図６中矢印Ｅ方向に付勢される。これにより、液管４２と注出部４３との接続部４７に形成された流入孔４３ａが開放される。そして、液体タンク４１内に充填された液体は、炭酸ガスの圧力により、タンク底面側に延設されている液管４２を上昇して、流入孔４３ａを通り、注出部４３より注ぎ出される。
【００７５】
次いで、注出レバー６６が上方に回動されると、ボンベ開閉部材１３及びコック５１の押圧軸５１ｂへの押圧が解かれる。したがって、炭酸ガスカートリッジボンベ３の蓋体８は、保持体４の尖鋭体１０に閉塞され、また、接続部４７の流入孔４３ａは、開閉弁５１ａにより閉塞される。これにより、液体タンク４１内に充填された液体の注出が止められる。
【００７６】
以上のように、液体注出装置４０によれば、液体の注出が止められている状態においては、炭酸ガスカートリッジボンベ３が閉塞されているため、ガスボンベ装置１を、カートリッジアダプタ４４から安全に取り外すことができる。
【００７７】
また、調整部材７０のディスペンスヘッド４８からの突出量を変えて注出レバー６６の回動量を規制することにより、炭酸ガスカートリッジボンベ３の蓋体８を閉塞する尖鋭体１０の引き上げ距離を調整するとともに、開閉弁５１ａによる液管４２と注出部４３との接続部４７に設けられた流入孔４３ａの開放量を調整することができ、液体の抽出量を規制することができる。
【００７８】
【発明の効果】
以上、詳細に説明したように、本発明が適用されたガスボンベ装置によれば、カートリッジアダプタに装着される前において炭酸ガスカートリッジボンベの蓋体が保持体の尖鋭体により穿孔されているとともに、尖鋭体の尖端部により穿孔が閉塞されている。したがって、ガスボンベ装置によれば、ボンベ内の炭酸ガスの噴出が防止されているため、一旦カートリッジアダプタに装着された後でもガスの噴出や気化熱による凍傷等の危険を伴うことなく安全に取り外すことができる。また、このガスボンベ装置によれば、カートリッジアダプタより取り外した後に炭酸ガスカートリッジボンベ内に炭酸ガスが残存している場合でも、カートリッジアダプタに装着することで再利用することができる。さらに、このガスボンベ装置によれば、保持体が付勢部材により炭酸ガスカートリッジボンベ側に付勢されることにより、蓋体が尖鋭体により穿孔、閉塞されているため、カートリッジアダプタに装着される前にガスボンベ装置を落下等させた場合でも、ボンベ内の炭酸ガスの噴出や気化熱による凍傷等の危険がなく、安全に取り扱うことができる。
【００７９】
また、本発明が適用された液体注出装置によれば、液体の注出が止められている状態においては、炭酸ガスカートリッジボンベが閉塞されているため、ガスボンベ装置を、カートリッジアダプタから安全に取り外すことができる。
【００８０】
また、調整部材のディスペンスヘッドからの突出量を変えて注出レバーの回動量を規制することにより、炭酸ガスカートリッジボンベの蓋体を閉塞する尖鋭体の引き上げ距離を調整するとともに、開閉弁による液管と注出部との接続部に設けられた流入孔の開放量を調整することができ、液体の抽出量を規制することができる。
【図面の簡単な説明】
【図１】本願に係る発明が適用されたガスボンベ装置を示す断面図である。
【図２】保持体を示す分解斜視図である。
【図３】本願に係る発明が適用された液体注出装置の断面図である。
【図４】ガイド部材が配設されたガスボンベ装置の断面図である。
【図５】操作部材により炭酸ガスカートリッジボンベの蓋体が封止されている液体注出装置を示す断面図である。
【図６】操作部材により炭酸ガスカートリッジボンベの蓋体が開放されている液体注出装置を示す断面図である。
【図７】従来の液体注出装置を示す断面図である。
【符号の説明】
１  ガスボンベ装置、３  炭酸ガスカートリッジボンベ、４  保持体、５  ハウジング、８  蓋体、８ａ  穿孔、１０  尖鋭体、１０ａ  尖端部、１１  ガス流路、１２  結合部、１３  ボンベ開閉部材、１４  付勢部材、１５  フランジ部、１６  ネジ溝、２０  上側収納、２１  下側収納、２２  係合部、２３  開口、２９  第１の収納部、３０  第２の収納部、３２  挿通孔、３２  ゴムパッキン、４０  液体注出装置、４１  液体タンク、４３  注出部、４４  カートリッジアダプタ、４５  ガス管、４６  操作部、４７  接続部、４８  ディスペンスヘッド、４９  中空部、５０  装着部、５１  コック、５５  係合突部、５６  支持部材、６５  回転操作子、６５ａ  開口、６６  注出レバー、６７  押圧片、７０  調整部材
【図１】
0004037088.tif 000002
【図２】
0004037088.tif 000003
【図３】
0004037088.tif 000004
【図４】
0004037088.tif 000005
【図５】
0004037088.tif 000006
【図６】
0004037088.tif 000007
【図７】
0004037088.tif 000008